(57)【要約】【課題】排水ポンプにおいて、ロータの回転中心とロアハウジングのロータ収容室の中心軸線とが共通の中心軸線上に確実にあるように、ロータをロータ収容室に配置でき、しかも、組み立て工数を低減できること。【解決手段】駆動用モータ２５の外周部の下部がロアハウジング２０の上部開口端部の内周部により位置決めされることにより、駆動用モータ２５の出力軸２５Ｓの中心軸線とロアハウジング２０の中心軸線Ｃとが共通の直線上にあるように配置されるもとで、ロアハウジング２０、および、モータカバー部材２６が、フック部２６ＮＡおよび２６ＮＢと、フック止め部２０ＬＡおよび２０ＬＢとにより、互いに着脱可能に連結されるもの。【選択図】図４
2019031917.tif 000002
【特許請求の範囲】
【請求項１】
吸入口および吐出口に連通するロータ収容室を、開口端の内周部と同心上に有するロアハウジングと、
前記ロアハウジングにおけるロータ収容室内に回動可能に配されるポンプロータと、
前記ポンプロータに連結される出力軸を有し該ポンプロータを駆動する駆動用モータと、
前記駆動用モータの上部外周を保持するモータカバー部材と、を備え、
前記ロアハウジングの上部開口端の内周は、前記駆動用モータの下部外周を保持し、前記モータカバー部材と前記ロアハウジングが連結手段により着脱可能に連結されることを特徴とする排水ポンプ。
【請求項２】
前記ロアハウジングは、前記ロータ収容室の一部を形成する蓋部を有する仕切部材を内側に収容することを特徴とする請求項１記載の排水ポンプ。
【請求項３】
前記仕切部材は、前記モータカバー部材に保持される前記駆動用モータを受け止める一対のモータ受け部を前記蓋部と一体に有することを特徴とする請求項２記載の排水ポンプ。
【請求項４】
前記連結手段は、前記ロアハウジングの外周部に形成される一対のフック止め部と、該一対のフック止め部に対し着脱可能に弾性変位する前記モータカバー部材の一対のフック部とから構成されることを特徴とする請求項１記載の排水ポンプ。
【発明の詳細な説明】
【技術分野】
【０００１】
本発明は、排水ポンプに関する。
【背景技術】
【０００２】
空調機器においては、ドレンパンに溜まった水等を外部に排出する排水ポンプが設けられている。排水ポンプは、例えば、特許文献１乃至特許文献３に示されるように、吸入口を形成する吸入管を中央部下端に有するロアハウジング（特許文献１においてはポンプ本体と呼称される）と、ロアハウジングのロータ収容室内に回動可能に配されるロータ（特許文献１においては回転羽根と呼称される）と、ロアハウジングの内周部とともにロータ収容室を形成する受け部材と、受け部材の上部の本体支持部内に配されロータを駆動する駆動用モータと、受け部材と協働して駆動用モータを保持するカバーとを主な要素として含んで構成されている。
【０００３】
特許文献１において、受け部材とロアハウジングとは、スナップフィット形式の連結手段により、受け部材の蓋部の凸部とロアハウジングの取付脚とが連結されている。また、受け部材の上部とカバーとは、スナップフィット形式の連結手段により、カバーの取付具と受け部材の上部の本体支持部とが連結されている。
【先行技術文献】
【特許文献】
【０００４】
【特許文献１】特許第５９９９９４２号公報
【特許文献２】特許第５９３４５１５号公報
【特許文献３】特許第６０７８３０７号公報
【発明の概要】
【発明が解決しようとする課題】
【０００５】
ロアハウジングのロータ収容室を形成するロアハウジングの内周部とロータの外周部との間の隙間は、ロータの全周にわたり、排水ポンプの水掻き音の音圧レベルを抑制するために所定の設定値に維持されることが要望される。即ち、駆動用モータの出力軸に連結されるロータの回転中心とロアハウジングのロータ収容室の中心軸線とが共通の中心軸線上にあるように、カバー、受け部材、および、ロアハウジングが互いに組み付けられ、ロータがロアハウジングのロータ収容室内に配置されることが必要とされる。
【０００６】
しかしながら、受け部材の蓋部材の下端と連結されるロアハウジングの端部の製造誤差、ならびに、蓋部材の凸部とロアハウジングの取付脚との組み付け誤差等に起因してロータの回転中心とロアハウジングのロータ収容室の中心軸線とが共通の中心軸線上になく、ロアハウジングの内周部とロータの外周部との間の隙間が、偏り、ロータの全周にわたり均一とならない場合がある。このような場合、ロータの回転中心とロアハウジングのロータ収容室の中心軸線とが共通の中心軸線上にあるようにロータの軸心の煩雑な調整作業がさらに必要となる。
【０００７】
また、排水ポンプの生産効率の向上の観点から排水ポンプの組み立て作業時間の短縮化も要望されている。
【０００８】
以上の問題点を考慮し、本発明は、ロータを収容するロータ収容室を有するロアハウジングを備えた排水ポンプであって、ロータの回転中心とロアハウジングのロータ収容室の中心軸線とが共通の中心軸線上に確実にあるように、ロータをロータ収容室に配置でき、しかも、組み立て工数を低減できる排水ポンプを提供することを目的とする。
【課題を解決するための手段】
【０００９】
上述の目的を達成するために、本発明に係る排水ポンプは、吸入口および吐出口に連通するロータ収容室を、開口端の内周部と同心上に有するロアハウジングと、ロアハウジングにおけるロータ収容室内に回動可能に配されるポンプロータと、ポンプロータに連結される出力軸を有しポンプロータを駆動する駆動用モータと、駆動用モータの上部外周を保持するモータカバー部材と、を備え、ロアハウジングの上部開口端の内周は、駆動用モータの下部外周を保持し、モータカバー部材とロアハウジングが連結手段により着脱可能に連結されることを特徴とする。
【００１０】
また、ロアハウジングは、ロータ収容室の一部を形成する蓋部を有する仕切部材を内側に収容するように構成されてもよい。仕切部材は、モータカバー部材に保持される駆動用モータを受け止める一対のモータ受け部を蓋部と一体に有するものでもよい。
【００１１】
さらに、連結手段は、ロアハウジングの外周部に形成される一対のフック止め部と、一対のフック止め部に対し着脱可能に弾性変位するモータカバー部材の一対のフック部とから構成されてもよい。
【発明の効果】
【００１２】
本発明に係る排水ポンプによれば、吸入口および吐出口に連通するロータ収容室を、開口端の内周部と同心上に有するロアハウジングの上部開口端の内周は、駆動用モータの下部外周を保持し、モータカバー部材とロアハウジングが連結手段により着脱可能に連結されるのでロータの回転中心とロアハウジングのロータ収容室の中心軸線とが共通の中心軸線上に確実にあるように、ロータをロータ収容室に配置でき、しかも、組み立て工数を低減できる。
【図面の簡単な説明】
【００１３】
【図１】本発明に係る排水ポンプの第１実施例の外観を示す斜視図である。
【図２】図１に示される排水ポンプの構成を分解して示す分解斜視図である。
【図３】図１に示される排水ポンプの上面図である。
【図４】図３におけるＩＶ−ＩＶ線に沿って示される断面図である。
【図５】図３におけるＶ−Ｖ線に沿って示される断面図である。
【図６】本発明に係る排水ポンプの第２実施例の構成を示す断面図である。
【図７】図６に示される例に用いられる仕切部材の外観を示す斜視図である。
【図８】図７に示される仕切部材の平面図である。
【図９】図７に示される仕切部材の正面図である。
【発明を実施するための形態】
【００１４】
図１は、本発明に係る排水ポンプの第１実施例の外観の概略図、図２は、第１実施例の分解斜視図、図３は、第１実施例の上面図、図４は、図３におけるＩＶ−ＩＶ線に沿って示される断面図、図５は、図３におけるＶ−Ｖ線に沿って示される断面図を示す。なお、以下の説明における「上下」の概念は、図１の図面における上下に対応する。
【００１５】
排水ポンプ１０は、図１に示されるように、吸入口２０ａを形成する吸入管２０Ｅを中央部下端に有する樹脂製のロアハウジング２０と、ロアハウジング２０内に回動可能に配される樹脂製のポンプロータ２２と、ロアハウジング２０の内周部とともにロータ収容室２０Ａを形成する樹脂製の仕切部材２４と、ポンプロータ２２を駆動する駆動用モータ２５と、駆動用モータ２５を覆う樹脂製のモータカバー部材２６と、を主な要素として含んで構成されている。
【００１６】
円筒状のロアハウジング２０の下方部分を形成する吸入管２０Ｅの一端は、例えば、空調機内の蒸発器から落下した液体を溜めるドレンパン内（不図示）に配される。ロアハウジング２０の下部の内周部は、図４および図５に示されるように、吸入口２０ａを中心として漏斗状に広がるように形成されている。また、ロアハウジング２０における下部の側壁の吐出管２０Ｊ内には、上述の吸入口２０ａの中心軸線に直交する方向に沿って吐出口２０ｂが延びている。吐出管２０Ｊには、エルボ継ぎ手３０が接続されている。エルボ継ぎ手３０の一端３０Ｐは、吐出管２０Ｊに設けられるストッパ２０ＪＫに係合される切欠部３０Ｋを有している。一端３０Ｐは、吐出口３０Ｃに連通する通路を内側に有している。一端３０Ｐにおける切欠部３０Ｋを除く外周縁には、Ｃ型止め輪３２が係止される溝３０Ｇが形成されている。また、吐出管２０Ｊは、図５に示されるように、エルボ継ぎ手３０の一端３０Ｐの開口に嵌合される接続端部２０ＪＥを有している。接続端部２０ＪＥの外周部には、Ｏリング３４が取り付けられている。Ｏリング３４は、接続端部２０ＪＥの外周部と一端３０Ｐの開口の周縁との隙間を密封するものとされる。吐出管２０Ｊにおける中心軸線方向に沿ってストッパ２０ＪＫに隣接した位置にも、Ｃ型止め輪３２が係止される溝２０ＪＧが形成されている。また、吐出管２０Ｊにおける円周方向に沿ってストッパ２０ＪＫの両端に隣接した位置には、それぞれ、一端３０Ｐにおける外周縁の一部が係合される切欠部２０Ｒが形成されている。これにより、吐出管２０Ｊにおけるストッパ２０ＪＫがエルボ継ぎ手３０の一端３０Ｐの切欠部３０Ｋに係合されるとともに、Ｏリング３４を伴って接続端部２０ＪＥが一端３０Ｐの開口に嵌合された後、Ｃ型止め輪３２が、吐出管２０Ｊの溝２０ＪＧ、および、エルボ継ぎ手３０の溝３０Ｇに係止される。従って、図１に示されるように、エルボ継ぎ手３０の一端３０Ｐが、吐出管２０Ｊに接続されることとなる。ロアハウジング２０の側壁における吐出管２０Ｊに向き合う位置には、図２および図５に示されるように、矩形状の戻り水排出口２０ＥＸが形成されている。
【００１７】
ロアハウジング２０における側壁の上端部の外周部には、着脱可能な連結手段の一部を構成する被係止部としてのフック止め部２０ＬＡおよび２０ＬＢが、それぞれ、図１、図２および図４に示されるように、向かい合って一体に形成されている。フック止め部２０ＬＡおよび２０ＬＢは、ロアハウジング２０の中心軸線Ｃを通り上述の吐出管２０Ｊの中心軸線に対し略直交する直線上に形成されている。
【００１８】
ロアハウジング２０の側壁の内周部におけるフック止め部２０ＬＡおよび２０ＬＢの位置に対応した部分には、それぞれ、後述する仕切部材２４の案内壁２４ＷＡおよび２４ＷＢの平坦面２４ｗａおよび２４ｗｂが係合される平坦面２０Ｄが形成されている。
【００１９】
ロアハウジング２０の側壁の内周部における下端部には、図２および図４に示されるように、Ｏリング２８が挿入される環状の溝２０Ｇが形成されている。これにより、後述する仕切部材２４の蓋部２４ＢがＯリング２８を介してロアハウジング２０の内周部の開口端周縁に当接されている。
【００２０】
仕切部材２４は、例えば、図２及び図５に示されるように、樹脂材料で成形され、駆動用モータ２５を下方から受け止める一対のモータ受け部２４ＲＡおよび２４ＲＢと、一対のモータ受け部２４ＲＡおよび２４ＲＢと一体に形成されロアハウジング２０の内周部の開口端を仕切る蓋部２４Ｂとを主な要素として含んで構成されている。円板状の蓋部２４Ｂは、一対の案内壁２４ＷＡおよび２４ＷＢを所定の間隔をもって有している。一対の案内壁２４ＷＡおよび２４ＷＢの相互間には、戻り水排出口２０ＥＸを通じて外部に排出される流体が通過する流路が形成されている。案内壁２４ＷＡおよび２４ＷＢは、それぞれ、所定の円周角をもって蓋部２４Ｂの円周方向に沿って延びている。案内壁２４ＷＡおよび２４ＷＢは、それぞれ、上述のロアハウジング２０の側壁の内周部における平坦面２０Ｄに係合される平坦面２４ｗａ、および、２４ｗｂを有している。これにより、ロアハウジング２０の内周部内に配置された仕切部材２４全体が、戻り水排出口２０ＥＸと一対の案内壁２４ＷＡおよび２４ＷＢの相互間の流路とが向き合うように位置決めされることとなる。なお、仕切部材２４のロアハウジング２０の内周部に対する位置決め手段は、斯かる例に限られることなく、例えば、平坦面２０Ｄ、平坦面２４ｗａ、および、２４ｗｂの代わりに、小さな突起部、および、それに対応する浅い溝が形成されるように構成されてもよい。
【００２１】
また、一対の案内壁２４ＷＡおよび２４ＷＢの相互間であって、一対のモータ受け部２４ＲＡおよび２４ＲＢの相互間には、駆動用モータ２５の出力軸２５Ｓおよび後述するポンプロータ２２のハブ部材２２Ｓが挿入される円筒状部２４Ｃが、蓋部２４Ｂに一体に形成されている。円筒状部２４Ｃは、駆動用モータ２５の出力軸２５Ｓが貫通される孔２４ａを上壁に有している。円筒状部２４Ｃにおけるモータ受け部２４ＲＡおよび２４ＲＢに向き合う側部の一部には、開口部２４ｂが形成されている。これにより、モータ受け部２４ＲＡおよび２４ＲＢの相互間に形成される空間とロータ収容室２０Ａとが、開口部２４ｂを介して連通することとなる。
【００２２】
モータ受け部２４ＲＡおよび２４ＲＢは、所定の間隔をもって円板状の蓋部２４Ｂの半径方向に互いに離隔し、円板状の蓋部２４Ｂの円周方向に沿って所定の円周角をもって延びている。モータ受け部２４ＲＡおよび２４ＲＢは、上述の一対の案内壁２４ＷＡおよび２４ＷＢの相互間の流路を横切るように形成されている。また、モータ受け部２４ＲＡおよび２４ＲＢは、蓋部２４Ｂの案内壁２４ＷＡおよび２４ＷＢの高さよりも高く中心軸線に沿って上方に向けて延びている。モータ受け部２４ＲＡおよび２４ＲＢの上端の位置（蓋部２４Ｂの表面からの高さ）は、例えば、図４および図５に示されるように、仕切部材２４の蓋部２４Ｂがロアハウジング２０の内周部の開口端に配置された場合、受け止められた駆動用モータ２５の外周部の一部がロアハウジング２０の内周部の上部で位置決めされるように設定される。また、モータ受け部２４ＲＡおよび２４ＲＢは、消音用ガイド壁としての機能も有する。従って、ロータ収容室２０Ａは、ロアハウジング２０の内周部および仕切部材２４の蓋部２４Ｂにより囲まれて形成されることとなる。
【００２３】
駆動用モータ２５は、例えば、扁平型のＤＣブラシレスモータとされている。駆動用モータ２５は、仕切部材２４のモータ受け部２４ＲＡおよび２４ＲＢの上端部で受け止められ、モータカバー部材２６により覆われ保持されている。駆動用モータ２５のコネクタ部２５Ｃは、図３および図５に示されるように、ロアハウジング２０の最上端を乗り超えモータカバー部材２６の切欠部（不図示）を介して外方に突出している。駆動用モータ２５の出力軸２５Ｓの回転数は、所定の最大回転数に維持されている。なお、駆動用モータ２５の出力軸２５Ｓの回転数は、吐出流量に応じて制御部により制御されるように構成されてもよい。なお、駆動用モータ２５は、斯かる例に限られることなく、ＡＣモータであってもよい。駆動用モータ２５は、例えば、エンコーダ付きの隈取モータであってもよい。
【００２４】
モータカバー部材２６は、例えば、樹脂材料で成形されている。モータカバー部材２６の外周部には、図３に示されるように、上述のフック止め部２０ＬＡおよび２０ＬＢに着脱可能に係止するフック部２６ＮＡおよび２６ＮＢが互いに向き合って一体に形成されている。フック部２６ＮＡおよび２６ＮＢは、それぞれ、弾性変位可能とされ、フック止め部２０ＬＡおよび２０ＬＢの先端に係止する爪部２６ｎａおよび２６ｎｂを先端に有している。これにより、フック部２６ＮＡおよび２６ＮＢの爪部２６ｎａおよび２６ｎｂがフック止め部２０ＬＡおよび２０ＬＢに対し押し付けられ、フック部２６ＮＡおよび２６ＮＢの弾性力に抗して爪部２６ｎａおよび２６ｎｂが互いに離隔する方向に弾性変位された後、爪部２６ｎａおよび２６ｎｂがフック止め部２０ＬＡおよび２０ＬＢに係止状態とされ、一方、爪部２６ｎａおよび２６ｎｂがフック止め部２０ＬＡおよび２０ＬＢに対し離隔する方向に引き離されるとき、フック部２６ＮＡおよび２６ＮＢは、フック止め部２０ＬＡおよび２０ＬＢの先端に対し非係止状態とされる。モータカバー部材２６は、駆動用モータ２５の一部を収容するモータ収容部を内側に有している。モータカバー部材２６の上面部には、ブラケット部２６ＢＫ１、２６ＢＫ２、および、２６ＢＫ３が、例えば、３箇所に一体に形成されている。ブラケット部２６ＢＫ１、２６ＢＫ２、および、２６ＢＫ３は、それぞれ、取付用ネジが挿入される孔２６ａを有している。これにより、モータカバー部材２６のモータ収容部内に収容された駆動用モータ２５の出力軸２５Ｓは、駆動用モータ２５の下部がロアハウジング２０の内周部の開口端に近い上部内周部に位置決めされているのでロアハウジング２０の中心軸線Ｃと略同軸上にあることとなる。
【００２５】
なお、ブラケット部２６ＢＫ１、２６ＢＫ２、および、２６ＢＫ３の個数は、斯かる例に限られることなく、例えば、２個以下、または４個以上であってもよい。
【００２６】
ポンプロータ２２は、例えば、樹脂材料で一体に形成され、流体に遠心力を付与する撹拌体を構成する複数の回転羽根２２Ｂ１および２２Ｂ２（ｉ＝１〜４）と、吸入口２０ａ内に挿入される軸部２２Ｂを下端に有し回転羽根２２Ｂ１および２２Ｂ２の下端と一体に形成される円錐台状の支持板２２Ｔと、支持板２２Ｔと一体に形成される円環状の側壁２２Ｗと、を含んで構成されている。
【００２７】
支持板２２Ｔは、軸部２２Ｂを下端に有している。軸部２２Ｂは、中心軸線に沿って延びる十字形断面を形成する４個の突起を小羽根として有している。
【００２８】
支持板２２Ｔの中央部の貫通孔２２ａの周辺と連結されるハブ部材２２Ｓが、貫通孔２２ａ内に成形されている。ハブ部材２２Ｓは、駆動用モータ２５の出力軸２５Ｓが接続されている。ハブ部材２２Ｓは、軸部２２Ｂの中心軸線と共通の中心軸線上に一体に形成され、上述の貫通孔２２ａを貫通するように突出している。即ち、ハブ部材２２Ｓは、支持板２２Ｔの支持面に対し略垂直に形成されている。
【００２９】
撹拌片としての回転羽根２２Ｂ１および２２Ｂ２は、例えば、樹脂材料で支持板２２Ｔと一体に放射状に形成されている。隣接する回転羽根２２Ｂ１相互間には、回転羽根２２Ｂ２が所定の間隔をもって形成されている。回転羽根２２Ｂ１におけるポンプロータ２２の半径方向に沿った長さは、回転羽根２２Ｂ２の対応する長さに比して大に設定されている。
【００３０】
なお、ポンプロータ２２は、回転羽根２２Ｂ１および２２Ｂ２の代わりに、例えば、撹拌片としての複数の串形の突起片が、支持板２２Ｔの貫通孔２２ａの周囲に所定の間隔で縦横に形成されるように構成されてもよい。
【００３１】
斯かる構成において、駆動用モータ２５が作動状態の場合、例えば、時計回り方向に、回動されるポンプロータ２２による遠心力により、図１において、矢印の示す方向に沿って吸入口２０ａから吸い込まれた流体は、ロアハウジング２０の内周部および仕切部材２４の下端部により形成される空間、即ち、ロータ収容室２０Ａ内にポンプロータ２２の貫通孔を介して導かれ、吐出管２０Ｊおよびエルボ継ぎ手３０の吐出口３０Ｃを通じて矢印の示す方向に沿って外部に吐出される。その際、ロアハウジング２０、および、モータカバー部材２６が、フック部２６ＮＡおよび２６ＮＢおよびフック止め部２０ＬＡおよび２０ＬＢにより、互いに連結され、駆動用モータ２５の出力軸２５Ｓの中心軸線とロアハウジング２０の中心軸線Ｃとが共通の直線上にあり、即ち、同心上にあるように、ポンプロータ２２がロータ収容室２０Ａ内に配置される。これにより、排水ポンプの組立て寸法精度が向上する。また、駆動用モータ２５の外周部の下部がロアハウジング２０の上部開口端部の内周部により位置決めされることにより、駆動用モータ２５の出力軸２５Ｓの中心軸線とロアハウジング２０の中心軸線Ｃとが共通の直線上にあるように配置されるのでポンプロータ２２がロータ収容室２０Ａ内で安定して回転し、異音の発生に繋がる要因を抑制できる。
【００３２】
排水ポンプ１０を組み立てるにあたっては、例えば、先ず、モータカバー部材２６が駆動用モータ２５に取り付けられた後、次に、駆動用モータ２５の下端面が仕切部材２４のモータ受け部２４ＲＡおよび２４ＲＢの端部に当接するまで駆動用モータ２５の出力軸２５Ｓが仕切部材２４の円筒状部２４Ｃの孔２４ａに挿入される。続いて、ポンプロータ２２が駆動用モータ２５の出力軸２５Ｓの先端部に接着された後、エルボ継ぎ手３０が接続されたロアハウジング２０の溝２０ＧにＯリング２８が装着される。そして、エルボ継ぎ手３０を伴うロアハウジング２０のフック止め部２０ＬＡおよび２０ＬＢが、駆動用モータ２５、ポンプロータ２２および仕切部材２４を伴うモータカバー部材２６のフック部２６ＮＡおよび２６ＮＢに対し押し付けられることにより、モータカバー部材２６が。ロアハウジング２０に連結されるので排水ポンプ１０の組み立てが完了する。従って、フック止め部２０ＬＡおよび２０ＬＢと、フック部２６ＮＡおよび２６ＮＢとからなる連結手段によって、モータカバー部材２６が。ロアハウジング２０に連結されることにより、排水ポンプ１０の組み立てが完了するので従来の排水ポンプに比して排水ポンプの組み立て作業時間を短縮できる。
【００３３】
図６は、本発明に係る排水ポンプの第２実施例の構成の概略図、図７は、第２実施例の仕切部材の外観を示す斜視図、図８は、図７に示される仕切部材の平面図を示す。なお、以下の説明における「上下」の概念は、図６の図面における上下に対応する。
【００３４】
排水ポンプは、図６に示されるように、吸入口４０ａを形成する吸入管４０Ｅを中央部下端に有する樹脂製のロアハウジング４０と、ロアハウジング４０内に回動可能に配される樹脂製のポンプロータ２２と、ロアハウジング４０の内周部とともにロータ収容室４０Ａを形成する樹脂製の仕切部材４４と、ポンプロータ２２を駆動する駆動用モータ２５と、駆動用モータ２５を覆う樹脂製のモータカバー部材２６と、を主な要素として含んで構成されている。なお、図６において、図１に示される例における構成要素と同一の構成要素に同一の符合を付して示し、その重複説明を省略する。
【００３５】
円筒状のロアハウジング４０の下方部分を形成する吸入管４０Ｅの一端は、例えば、空調機内の蒸発器から落下した液体を溜めるドレンパン内（不図示）に配される。ロアハウジング４０の下部の内周部は、図６に示されるように、吸入口４０ａを中心として漏斗状に広がるように形成されている。また、ロアハウジング４０における下部の側壁の吐出管４０Ｊ内には、上述の吸入口４０ａの中心軸線に直交する方向に沿って吐出口４０ｂが延びている。吐出管４０Ｊには、エルボ継ぎ手３０が接続されている。また、吐出管４０Ｊは、エルボ継ぎ手３０の一端の開口に嵌合される接続端部４０ＪＥを有している。接続端部４０ＪＥの外周部には、Ｏリング３４が取り付けられている。これにより、ロアハウジング４０の側壁における吐出管４０Ｊに向き合う位置には、矩形状の戻り水排出口４０ＥＸが形成されている。
【００３６】
ロアハウジング４０における側壁の上端部の外周部には、着脱可能な連結手段の一部を構成する被係止部としての一対のフック止め部（不図示）が、向かい合って一体に形成されている。フック止め部の構成は、図４に示される例におけるフック止め部２０ＬＡおよび２０ＬＢの構成と同一の構成を有している。
【００３７】
ロアハウジング４０の側壁の内周部における下端部には、後述する仕切部材４４のＯリング支持部４４Ｆが嵌合される段差部が形成されている。仕切部材４４のＯリング支持部４４Ｆは、図７に拡大されて示されるように、Ｏリング２８が挿入される環状の溝４４Ｇを有している。これにより、後述する仕切部材４４の蓋部４４Ｂ、および、Ｏリング支持部４４Ｆが、ロアハウジング４０の内周部の開口端周縁、および、段差部に当接されている。
【００３８】
仕切部材４４は、例えば、図７に示されるように、樹脂材料で成形され、駆動用モータ２５を下方から受け止める一対のモータ受け部４４ＲＡおよび４４ＲＢと、一対のモータ受け部４４ＲＡおよび４４ＲＢと一体に形成されロアハウジング４０の内周部の開口端を仕切る蓋部４４Ｂと、蓋部４４Ｂの外周縁と一体に形成されＯリング２８を支持するＯリング支持部４４Ｆと、を主な要素として含んで構成されている。蓋部４４Ｂの外周縁部には、環状のＯリング支持部４４Ｆが一体に形成されている。蓋部４４Ｂは、図８および図９に示されるように、中央部に円筒状部４４Ｃを有している。蓋部４４Ｂと一体に形成される円筒状部４４Ｃは、駆動用モータ２５の出力軸２５Ｓが貫通される孔４４ａを上壁に有している。円筒状部４４Ｃの内側の空間には、駆動用モータ２５の出力軸２５Ｓに連結されたポンプロータ２２のハブ部材２２Ｓが挿入されている。
【００３９】
蓋部４４Ｂは、円筒状部４４Ｃに隣接して一対のモータ受け部４４ＲＡおよび４４ＲＢを有している。円筒状部４４Ｃにおけるモータ受け部４４ＲＡ、および、４４ＲＢに向き合う側部の一部には、開口部４４ｂが形成されている。これにより、モータ受け部４４ＲＡおよび４４ＲＢの相互間に形成される空間とロータ収容室４０Ａとが、開口部４４ｂおよび蓋部４４Ｂの貫通孔４４ｄを介して連通することとなる。
【００４０】
モータ受け部４４ＲＡおよび４４ＲＢは、所定の間隔をもって蓋部４４Ｂの半径方向に互いに離隔し、蓋部４４Ｂの円周方向に沿って所定の円周角をもって延びている。また、モータ受け部４４ＲＡおよび４４ＲＢは、蓋部４４ＢのＯリング支持部４４Ｆの高さよりも高く中心軸線に沿って上方に向けて延びている。モータ受け部４４ＲＡおよび４４ＲＢの上端の位置（蓋部４４Ｂの表面からの高さ）は、例えば、図６に示されるように、仕切部材４４の蓋部４４Ｂがロアハウジング４０の内周部の開口端に配置された場合、受け止められた駆動用モータ２５の外周部の一部がロアハウジング４０の内周部の上部で位置決めされるように設定される。また、モータ受け部４４ＲＡおよび４４ＲＢは、消音用ガイド壁としての機能も有する。従って、ロータ収容室４０Ａは、ロアハウジング４０の下部の内周部および仕切部材４４の蓋部４４Ｂにより囲まれて形成されることとなる。
【００４１】
斯かる構成において、駆動用モータ２５が作動状態の場合、例えば、時計回り方向に、回動されるポンプロータ２２による遠心力により、図６において、矢印の示す方向に沿って吸入口４０ａから吸い込まれた流体は、ロアハウジング４０の内周部および仕切部材４４の下端部により形成される空間、即ち、ロータ収容室４０Ａ内にポンプロータ２２の貫通孔を介して導かれ、吐出管４０Ｊおよびエルボ継ぎ手３０の吐出口３０Ｃを通じて矢印の示す方向に沿って外部に吐出される。その際、ロアハウジング４０、および、モータカバー部材２６が、フック部２６ＮＡおよび２６ＮＢとフック止め部（不図示）とにより、互いに連結され、駆動用モータ２５の出力軸２５Ｓの中心軸線とロアハウジング４０の中心軸線Ｃとが略同軸上にあるように、ポンプロータ２２がロータ収容室４０Ａ内に配置される。これにより、排水ポンプの組立て寸法精度が向上する。また、駆動用モータ２５の出力軸２５Ｓの中心軸線とロアハウジング４０の中心軸線Ｃとが共通の直線上にあるように配置されるのでポンプロータ２２がロータ収容室４０Ａ内で安定して回転し、異音の発生に繋がる要因を抑制できる。加えて、仕切部材４４の蓋部４４ＢがＯリング支持部４４Ｆを有するので蓋部４４Ｂのロアハウジング４０における中心軸線Ｃに沿った位置が、図５に示される例における仕切部材２４の蓋部２４Ｂの対応する位置に比してロータ収容室４０Ａからより離隔する方向に設定されていることによって、ロータ収容室４０Ａの容積がロータ収容室２０Ａの容積に比して大となり、ポンプロータ２２よりも大きなポンプロータを設けることも可能となる。
【００４２】
なお、上述の本発明に係る排水ポンプの第１実施例および第２実施例において、ロアハウジングの吐出管は、エルボ継ぎ手に接続されるように構成されているが、斯かる例に限られることなく、例えば、ロアハウジングの吐出管がストレート継ぎ手に接続されるように構成されてもよい。また、排水ポンプの第１実施例および第２実施例において、連結手段としてフック部およびフック止め部が用いられているが、斯かる例に限られることなく、例えば、モータカバー部材およびロアハウジングが、それぞれ、取付け孔を有するフランジ部を複数箇所に有し、連結ネジにより、モータカバー部材およびロアハウジングが互いに連結されるように構成されてもよい。さらに、本発明に係る排水ポンプの第１実施例および第２実施例が、空調機内で適用されているが、斯かる例に限られることなく、他の装置においても適用されてもよいことは勿論である。
【符号の説明】
【００４３】
１０    排水ポンプ
２０、４０    ロアハウジング
２０ＬＡ、２０ＬＢ    フック止め部
２２    ポンプロータ
２４、４４    仕切部材
２５    駆動用モータ
２６    モータカバー部材
２６ＮＡ、２６ＮＢ    フック部
【図１】
2019031917.tif 000003
【図２】
2019031917.tif 000004
【図３】
2019031917.tif 000005
【図４】
2019031917.tif 000006
【図５】
2019031917.tif 000007
【図６】
2019031917.tif 000008
【図７】
2019031917.tif 000009
【図８】
2019031917.tif 000010
【図９】
2019031917.tif 000011